(57)【特許請求の範囲】
【請求項１】
入力ゲート(1)と第一の出力ゲート(3)との間に接続された主区間(7)と、
主区間(7)から分岐位置(9)にて分岐されかつ第二の出力ゲート(5)まで通じる分岐ライン(11)と、
分岐ライン(11)に連結されたスタブ(37)と、
高周波出力を分割し又は集結させる整合要素(61)とを備え、高周波出力を分割し又は集結させる回路において、
スタブ(37)は、コンデンサ(C3)を介して主区間(7)の内側導体(13’)と、コンデンサ(C2)を介して第二の出力ゲート(5)に通じる分岐ライン(11)の内側導体(15’)とに接続され、
主区間(7)の内側導体(13')は、横孔(47)を備えたスリーブ状の本体(45)を有し、
分岐ライン(11)の内側導体(15')は、内側導体(13')の本体(45)から電気的に分離されるスリーブ状又はポット状の本体(51)を有し、
内側導体(13')の横孔(47)及び内側導体(15')のスリーブ状又はポット状の本体(51)内に移動調整可能な整合要素(61)を進入させて、少なくとも双方のコンデンサ(C2,C3)のキャパシタンスを変更でき、
整合要素(61)の位置を変更することにより、スタブ(37)の電気長を変更できることを特徴とする高周波出力の分割集結回路。
【請求項２】
整合要素(61)は、分岐ライン(11)に接続されたコンデンサ(C2,C3)の一部分を含む請求項１に記載の高周波出力の分割集結回路。
【請求項３】
分岐された出力配分を変更する際に、整合要素(61)の移動により、分岐ライン(11)に連結されたスタブ(37)の電気長を変更する請求項２に記載の高周波出力の分割集結回路。
【請求項４】
少なくとも２つの直列に接続されたコンデンサ(C3,C2)を分岐ライン(11)に設け、整合要素(61)の位置を軸方向に変更して、コンデンサ(C3,C2)のキャパシタンスを変更できる請求項１〜３の何れか１項に記載の高周波出力の分割集結回路。
【請求項５】
整合要素(61)は、導電性である請求項１〜４の何れか１項に記載の高周波出力の分割集結回路。
【請求項６】
整合要素(61)は、本体(45,51)から間隔をあけて分離され、並びに／又は整合要素(61)及び／若しくは本体(45,51)の内面上に備えられたプラスチックから成る絶縁体を使用して、電気的に分離される請求項５に記載の高周波出力の分割集結回路。
【請求項７】
整合要素(61)の軸方向に沿う双方の本体(45,51)間の距離は、一定であり、予め選択でき又は変更可能である請求項６に記載の高周波出力の分割集結回路。
【請求項８】
整合要素(61)は、整合要素(61)の軸方向に移動調整可能にスピンドル駆動装置(55,57)に接続される請求項１〜７の何れか１項に記載の高周波出力の分割集結回路。
【請求項９】
スピンドル駆動装置(55,57)は、主区間(7)と同軸のハウジング(43)上で主区間(7)を挟んで分岐ライン(11)とは反対側に配置される請求項８に記載の高周波出力の分割集結回路。
【請求項１０】
整合要素(61)は、直線状に移動可能な調整リンク(55,55'')により移動調整可能である請求項１〜７の何れか１項に記載の高周波出力の分割集結回路。
【請求項１１】
整合要素(61)は、調整リンク(55,55'')の調整方向(71)に対して直角に延びる調整方向(87)に移動調整可能である請求項１０に記載の高周波出力の分割集結回路。
【請求項１２】
調整リンク(55,55'')は、案内装置又は案内ピン(85)とリンクガイド(83)及び／又は案内溝(83')とを相互作用させて、調整リンク(55,55'')の直線状の調整移動を整合要素(61)の直線状の調整移動に変換する請求項１０又は１１に記載の高周波出力の分割集結回路。
【請求項１３】
案内装置は、案内ピン(85)の形態で、整合要素(61)に連結されかつ整合要素(61)と共に移動調整可能である伝動要素(81)上に構成される請求項１２に記載の高周波出力の分割集結回路。
【請求項１４】
伝動要素(81)は、支柱状に構成され、スリーブ状の案内装置(89)内を案内され、伝動要素(81)の軸方向に移動調整可能である請求項１３に記載の高周波出力の分割集結回路。
【請求項１５】
調整リンク(55,55'')の直線状の調整移動による整合要素(61)の直線状の調整移動への変換を比例させて行う請求項１２〜１４の何れか１項に記載の高周波出力の分割集結回路。
【請求項１６】
リンクガイド(83)又は案内溝(83')は、直線状に構成される請求項１２に記載の高周波出力の分割集結回路。
【請求項１７】
リンクガイド(83)又は案内溝(83')は、湾曲して構成される請求項１２に記載の高周波出力の分割集結回路。
【請求項１８】
調整リンク(55,55'')は、ハウジング(43)に間接的に又は直接的に形成されかつ第一及び第二の出力ゲート(3,5)の出力分割を読み取ることができる調節読取装置(77)又は調節読取装置(77)に形成された目盛り(79)を備えた請求項１０〜１７の何れか１項に記載の高周波出力の分割集結回路。
【発明の詳細な説明】
【０００１】
本発明は、高周波出力を分割しかつ集結させる高周波出力の分割集結回路に関するものである。
【０００２】
高周波出力を分割しかつ集結させる回路は、例えば所謂ブリッジ回路又はウィルキンソン−カプラとして知られている。これらは、高周波技術では、特に高周波送信機又はアンテナの並列接続に使用される。
【０００３】
同様に構成された高周波出力を分割しかつ集結させる回路は、例えばカトライン−ベルケ・カーゲー（Kathrein-Werke KG）社のパンフレット「モバイル通信用基地局アンテナ、９９年３月カタログ」から知られている。
【０００４】
高周波出力の分割集結回路は、例えばやや長いハウジング内に配置され回路の一方の端面に設けられた所謂総合ゲート（入力ゲート）と、反対側の端部に設けられた例えば第一の個別ゲート（第一の出力ゲート）と、それに対して垂直に隣接する横面に設けられた第二の個別ゲート（第二の出力ゲート）とを備えている。
【０００５】
種々の抵抗により第一及び第二の出力ゲートに対する出力分割を実現できる（異なる出力ゲート抵抗の並列切換え）。この場合、第一の出力ゲートは、変更されずそのままである。第二の出力ゲートは、例えばλ／４の変換を受ける。換言すれば、従来の出力分割装置は、異なるインピーダンスＺにより実現される（「λ／４変換」）。その際、出力分割は、いずれにせよ入力に帰還する。特に、分配比を可変に調節できない場合には、異なる出力分配比に対して、異なる形式及び装置を使用しなければならない。
【０００６】
入力ゲートと第一の出力ゲートとの間に主ラインが接続され、それから分岐位置にて分岐ラインが分岐する、高周波出力を分割しかつ集結させる回路は米国特許第３,３２４,４２１号から知られている。この分割集結回路では、分岐ラインに接続されたコンデンサのキャパシタンスの変更により、分岐された出力の大きさを決定する移動調整可能な連結要素が備えられる。これにより、測定周波数に従って、狭い帯域で適合できる連結要素を測定分岐のみに適合される。しかしながら、この連結要素は、特により高い周波数で主ラインのインピーダンスへの帰還作用を有する。
【０００７】
例えば、機械的に変化するインダクタンスとキャパシタンスの組合せにより、他のインピーダンスにアンテナのインピーダンスを適合させる技術は米国特許第２,６５７,３６２号から知られている。
同様に構成された出力分割回路は、例えば米国特許第２,６６７,６１９号公報からも知られている。この回路は、入力ゲート及び第一の出力ゲートの間に接続された主ラインと、主ラインから分岐位置にて分岐されかつ第二の出力ゲートに通じる分岐ラインとを含む。また、分岐ラインに連結された支線ラインが設けられる。この公報では、出力に直列に接続されるキャパシタンスは、動作周波数に対応するλ／４又はλ／２の電気的有効長を備える。駆動要素を介して同時に主区間及び分岐区間に係合してその長手方向に調節され得る移動可能な整合要素が設けられる。即ち、直列キャパシタンスの同時の拡大及び縮小により分配器の機能を実現できる。直列キャパシタンスが波長の機能であることによって、分配器は、構成上の条件として、チャンネル選択又は狭帯域の使用のためにのみ適合する。この公報では、例えば８００〜２２００MHzの大きな帯域に対する出力分割を実現できない。
前記配置による構成では、さらに出力が直列キャパシタンスにより遮断される。さらに、整合要素及び支線ラインは、主ライン及び分岐ラインの内側導体に電気的に接続される。
また、同様の回路は、米国特許第２,６０５,３５７号公報からも公知である。前記米国特許第２,６６７,６１９号公報とは異なり、直列のキャパシタンスは、内側導体の長手移動によってではなく、連結面の捩れにより実現される。この場合も、連結位置の長さは、動作周波数により与えられる。従って、この場合も、波長の何倍にも亘る広帯域の使用を実現できない。
【０００８】
従って、本発明の課題は、同様の構成の従来技術から出発して、出力を分割する改良された高周波出力の分割集結回路、特に高周波出力を分割し又は集結させる改良された可変回路を提供することにある。
【０００９】
本発明では、請求項１に示す特徴部分によりこの課題を解決できる。他の請求項は、本発明の有利な実施の形態を示す。
【００１０】
本発明による高周波出力の分割集結回路は、その全体構成が新規なだけでなく非常に予期できない利点を獲得することができる。即ち、好適な実施の形態では、本発明による高周波出力の分割集結回路によって、入力インピーダンスが変化することなく、可変出力分割を実現できるからである。本発明では、可変の結合キャパシタンスと可変のスタブ（支線ライン）の組合せによって前記目的を実現でき、好ましくは共通の操作要素により双方の要素を変化させることができる。
【００１１】
この場合、ＨＦラインから所定の位置で容量的に連結される他のラインを分岐して、出力分割を行なうことが好ましい。その際、前記のように、入力インピーダンスに対する影響及び変化がなく、入力ゲート（総合ゲート）に対する抵抗適合による変換を実現できる。分岐された出力は、周波数補償又は周波数プレディストーションが実行される。本発明では、予定の調節又は調整リンクの問題のない調整によって、入力インピーダンスへの帰還作用が発生せずに出力分割を変更できる。本発明では、異なる出力分割比に対して、異なる形式の装置ではなく、調節可能な一形式のみの装置が必要である。
【００１２】
このように、例えば各階、建築物群等での異なる分岐出力に対する建築物内の信号伝送の際に、ＨＦ広帯域での異なる分岐出力に対して、本発明による高周波出力の分割集結回路を構成することができる。その際、実施すべき分岐出力に対応して、調整リンクのねじ回転によってのみ、問題なく所望の出力分割を調整することができる。また、家屋のケーブル敷設の際に、（例えば地下室で）供給される信号を多数のラインに分配し、例えば家屋の個々の階にて、できればさらにもう一度種々の分岐ラインへの出力分割を、必要であれば常に、本発明の利点がなお一層明らかになる異なる出力配分で行なうために、通常多数の分配器の必要性を考慮できる。なぜならば、本発明では、問題なくそれぞれ実際の需要に対して調整できかつ特に無段階で出力を分割できるただ一つの回路装置のみが必要であり、それによって、種々のケーブル長、ケーブル減衰等に対する補償（調整）を問題なく行うことができるからである。
【００１３】
本発明による出力分割は、好ましくは整合要素の使用により実現され、それは位置変更可能に配置される。位置変更によって、出力の分岐ラインへの連結位置を変更し、その際に本発明では、同時に、変更された連結に起因する抵抗変動を補償できる。機械的位置可変の整合要素は、導電性でもよいが、そうである必要はない。同様に、例えば誘電性の整合要素も使用可能である。
【００１４】
その際、本発明の特に好適な実施の形態では、分岐されたラインへの軸方向延長部に調整要素を配置でき、その際、これに対して横向きに、入力ゲートと第一の出力ゲートとの間（即ち総合ゲートと第一の個別ゲートの間）に延びる主ラインが配置される。
【００１５】
好ましくは、例えばねじ運動により、機械的に移動調整可能な整合要素の軸方向の位置を変更して、所望の変更された連結構造を達成できる。
【００１６】
しかしながら、例えば他の種類の移動調整機構によっても整合要素を種々に調整できる。このために、他の好適な実施の形態では、回路ハウジング上で直線状に調整リンクを移動調整できる。その際、好ましくは、回路ハウジングの軸長手方向に調整移動が行なわれる。この調整移動によって、好ましくは調整リンク内に在って、調整移動即ち好ましく整合要素の直線状に調整移動を実現しかつ変換でき、調整リンクの調整移動に対して垂直に整合要素を調整移動できる。全体構造は、例えば良く見える目盛りを装着でき、調整要素の調整位置に対応して、出力分割の正確な調節を正確に読み取れる他の利点を有する。
【００１７】
最後に、望ましい場合には、調整リンクと整合要素の間の変換を非直線状にも行うことができる。或いは、直線状変換を常に実現することができる。
【００１８】
連結ユニットの帯域幅は、非常に大きくてもよく、例えば４５%になる。
【００１９】
本発明による回路構成配置を同軸に構成できる。しかしながら、それは、分離構成要素でも、また基板技術でも置換できる。
【００２０】
本発明による高周波出力の分割集結回路は、さらに多数の可変連結要素を含み、ｎ分配式の分配器を構成してもよいことに留意すべきである。
【００２１】
添付図面について本発明を以下により詳細に説明する。このように、入力ゲート(1)と第一の出力ゲート(3)との間に接続された主ライン又は主区間(7)と、主ラインから分岐位置(9)で分岐されかつ第二の出力ゲート(5)まで通じる分岐ライン(11)とを備え、高周波出力を分割し又は集結させる本発明による高周波出力の分割集結回路は、好ましくは、特別の移動調整可能な整合要素(61)が備えられ、少なくとも一つの分岐ライン(11)に接続されたコンデンサ(C2,C3）のキャパシタンスの変更及び／又は分岐ライン(11)と連結されたスタブ(37)の電気長の変更により、分岐された出力の変更された大きさと共に、同時に変更された出力分割に起因する抵抗変動も補償できるように、整合要素(61)を変更できる点で傑出する。
【００２２】
図１に示す可変広帯域の出力分割回路の等価回路図により基本原理を説明する。
【００２３】
図１では、高周波出力の分割集結回路は、入力ゲート又は総合ゲート１と、第一の出力又は個別ゲート３及び第二の出力又は個別ゲート５とを含む。
【００２４】
入力ゲート１と第一の出力ゲート３との間に設けられる所謂主ライン７（主区間）から分岐位置９にて分岐ライン１１が分岐され、通常、入力ゲート１に全体として供給される出力の５０%より小さい出力が第二の出力ゲート５に分岐される。
【００２５】
入力ゲート１と分岐位置９との間では、５０Ωのシステムインピーダンスが主ライン７に実現される。
【００２６】
図示の実施の形態では、主ライン７は、原則として、一つ又はそれ以上の直列に接続されたＨＦ（短波帯又は高周波）ライン１３、即ちＨＦライン部分１３.１、１３.２、・・・、１３.５から構成される。分岐ライン１１は、同様に第一のＨＦライン部分１５.１、符号Ｃ3でも示すコンデンサ１８、それに続くＨＦライン部分１５.２、コンデンサＣ2でも示すコンデンサ２２及びさらに続くＨＦライン部分１５.３、１５.４等を備えた同軸ラインから構成される。
【００２７】
第一のＨＦライン部分１５.１と第一のコンデンサ１８との間に第一の連結位置２７が設けられ、コンデンサ２２とそれに続くＨＦライン部分１５.３との間に第二の連結位置２９が設けられ、第一の連結位置２７と第二の連結位置２９との間で、並列分岐３１には、以下に一部でコンデンサＣ1でも示すコンデンサ３３が接続される。
【００２８】
コンデンサ１８とＨＦライン部分１５.２の間に設けられた分岐３５には、開放したスタブ３７が備えられる。
【００２９】
コンデンサ１８、２２及びスタブ３７の電気的有効長は、それぞれ調節可能な可変部品として構成される。並列分岐３１に接続されたコンデンサ３３を可変コンデンサとしても構成できるが、そうでなくともよい。
【００３０】
可変コンデンサの共通の調整及びスタブ３７の長さの変更により、第二の出力５で分岐されるＨＦ出力を共通の調節ロジック又は機構によって可変としてもよく、連続的に調節及び移動調整することができ、分岐された出力配分に応じて、第一の出力ゲート３に発生する出力を適宜にかつ確実に低減することができる。その際、入力ゲート１での入力インピーダンスの影響及び変動なしに調節が行なわれる。さらに、全体として所望の抵抗補償（適性値への抵抗調整）を達成するために、適宜の抵抗のプレディストーションが実施される。
【００３１】
図２は、図１とは異なる可変広帯域の出力分割補償回路図の実施の形態を示す。その際、（ユニット４１全体を横切る矢印により示す）共通の調整リンクにより、異なる出力分割に対して調節可能なユニット４１を点線で示す。
【００３２】
図２は、同様に、必要に応じて、抵抗適合のために点線で示す追加のスタブ４２を分岐位置９に設けてもよい。
【００３３】
更に詳細に説明する同軸構成を使用する本発明による図３に示す実施の形態による回路の概略構成を以下図４及び図５について説明する。
【００３４】
図４及び図５では、回路を配置するハウジング４３は、例えば外側導体１３''としての中空円筒状の内部空間を備えた四角管から構成され、その中に、ロッド状の内側導体１３’が貫通する。入力ゲート１及び第一の出力ゲート３にそれぞれ対応する同軸ブシュを対向する端面に配置でき、その内側導体は、回路配置の内側導体１３’に連結され、その外側導体は外側導体１３''に連結される。
【００３５】
対向する端面に隣接する側面４４で第一の出力ゲート３の近傍に設けられる第二の出力ゲート５は、同様に、図４の概略横断面図により詳細に示すように、再び適宜のＨＦブシュを備えたＨＦ接続部として構成できる。
【００３６】
主ライン７は、同軸管を構成するハウジング４３を備え、外側導体１３''が回路を配置するハウジング４３を構成し、ハウジング４３から電気的に分離する内側導体１３’が、導電性金属のロッドとしてハウジング４３の内部を貫通することは、図４の概略横断面図から明らかである。これに対して、少なくとも入力ゲート１及び主ライン７の端部となる第一の出力ゲート３の領域では、導電性の内側導体１３’として使用される金属ロッドを、プラスチックから成る適宜の絶縁性支持部材４６内に枢支しかつ保持し、絶縁性支持部材４６によりハウジング４３から電気的に分離することが好ましい。
【００３７】
第二の出力ゲート５の高さにて、主ライン７の電気的に導通する内側導体又はロッド１３’は、横孔４７が形成された厚い部分となるスリーブ状の本体４５を有し、図示の実施の形態では、好ましくはプラスチックから成るスリーブ状の絶縁体４９が横孔４７内に挿入される。（図４に対して９０度だけ回転した）図５の部分横断面図から明らかなように、横孔４７に絶縁体４９を配置する構造により、内側導体１３’の導電性に遮断が生じない。
【００３８】
第二の出力ゲート５に対する同軸接続ライン又は同軸接続部のロッド状の内側導体１５’は、横孔４７に対して軸方向に整列して配置され、図示の実施の形態では、内側導体１５’は、主ライン７の内側導体１３’内の横孔４７に隣接して配置されたスリーブ状又はポット状又はブッシュ状の本体（終端部分）５１を含み、ブッシュ状の本体５１は、ブッシュ状の本体５１の内側に配置された中空円筒状の絶縁体５３を備え、絶縁体４９と同様に絶縁体５３をプラスチックから形成することが好ましい。
【００３９】
外側導体又はハウジング４３の他側に対して、図示の実施の形態ではスピンドル５７を備えた調整リンク５５（スピンドル駆動装置）は、整合要素６１に軸方向に対向して矢印５９に対応するねじ運動により整合要素６１を軸方向に徐々にさらに押し込み又は引き戻す。その際、スピンドル５７を備えた調整リンク５５（スピンドル駆動装置）は、導電性ではなく、少なくとも外側導体１３''に接続されない。図示の実施の形態では、金属製の整合要素６１は、スピンドル５７を介して種々に軸方向に移動して調整され、その際、整合要素６１は、主ライン７の内側導体１３’の中空円筒状の厚い部分であるスリーブ状の本体４５内に種々の幅で進入し、スピンドルの調節に応じて、主ラインの内側導体１３’から電気的に分離される中空円筒状の内側導体１５’内にも種々の幅で係合する。
【００４０】
コンデンサＣ3（１８）は、主ライン７の内側導体１３’に関連する中空円筒又はスリーブ状の本体４５及びスリーブ状の本体４５を貫通する円筒状の整合要素６１により構成される。スリーブ状の本体４５に整列する他のスリーブ状又はブシュ状の本体５１内でも異なる幅で係合する整合要素６１は、整合要素６１とスリーブ状の本体５１との間に別のコンデンサＣ2（２２）を構成する。
【００４１】
最後に、双方の電気的に互いに分離されたスリーブ状の本体４５（主ライン７の内側導体１３’と電気的に導通して接続される）と、これに対して軸方向に離反したスリーブ状の本体５１（分岐ライン１１の内側導体１５’と電気的に接続される）とによって、同様にコンデンサＣ1（３３）が構成される。
【００４２】
前記のように、調整リンク５５のねじ運動により、整合要素６１が軸方向に移動調整され、それによって（整合要素６１がスリーブ状の本体４５内に進入し又はこれを貫通する幅に応じて）コンデンサＣ3の容量が変更され、そして特に（整合要素６１がスリーブ状又はブシュ状の本体５１内に進入する幅に応じて）Ｃ2の容量が変更される。本実施の形態では、双方のスリーブ状の本体４５とブッシュ状の本体５１との間の軸方向距離は変化しないので、スリーブ状の本体４５とブッシュ状の本体５１との間に構成されるコンデンサＣ1の容量は変わらない。その際、整合要素６１の適宜の種々のねじ込み又はねじ緩めによって、開放したスタブ３７の電気的有効長も対応して変動され、整合要素６１がスタブの対応するスリーブ状の本体４５又はブッシュ状の本体５１内に係合又は進入するに従って、スタブ３７の電気的長さがより短くなる。
【００４３】
また、調節要素となるスリーブ状の本体４５又はブッシュ状の本体５１の内側から絶縁体５３を各場合に取り除ける利点を示す非導電性の整合要素６１も導電性の整合要素６１の代わりに使用できる。
【００４４】
対応して前記広帯域に構成され、任意に可変の調節可能な出力分岐器を、８００MHzから２２００MHzの広帯域のＨＦ領域に問題なく使用できる。その際、第一及び第二の出力ゲート３と５との間の出力分割差ΔＰを、５dBから２０dBの値に設定できる。
【００４５】
開放したスタブ３７について実施の形態を説明したが、少なくとも所定の使用の場合には、閉じたスタブ３７も可能である。
【００４６】
特に、調整リンク５５、５５''が回転可能な調整リンク５５として構成しない点で前記実施の形態とは異なる具体的な実施の形態を図６〜図１０について説明する。
【００４７】
図６は、入力ゲート１と第一の出力ゲート３との間に軸長手方向に延びる正方形断面のハウジング４３を備えた本発明による出力分割装置の側面図を示す。
【００４８】
これに対して、第二の出力ゲート５の高さに横向きに配置されかつ直方体状に形成される調整リンク５５、５５''は、軸方向に延びるハウジング４３を把持しながら直線状に移動調整可能に設けられる。直方体状の調整リンク５５、５５''は、矢印７１に沿ってハウジング４３の長手方向に移動調整でき、図６は、一方の終端位置を表し、図７は、反対側の他方の極限又は終端位置を表わす。
【００４９】
その際、直方体状の調整リンク５５、５５''のハウジングは、その一方の調整リンク側面７３に、例えば長方形状の切欠部又は同様の間隙を有し、切欠部又は間隙７５は、図示の実施の形態では突出部７７’の形状の調節又は読取装置７７に対応する。間隙、即ち切欠部７５の下方で、下に配置されるハウジング４３のハウジング壁部上の外側に目盛り７９が設けられる。調整リンク５５、５５''の軸方向の調整移動に対応して、双方の間隙３、５における調整リンク７５’の移動調整に対応して出力を分割するように、目盛り７９を正確に読み取ることができる。
【００５０】
図８〜図１０は、適宜の調整機構装置を部分的に断面で示す。
【００５１】
図８及び図９の断面図は、スリーブ状又はブッシュ状の本体５１内にスリーブ状の絶縁体５３を取り付け、前記実施の形態で説明したように−ハウジング５３’に沿って横に−整合要素６１を軸方向に移動調整できる構造を示す。図示の実施の形態では、支柱状の伝動要素８１は、整合要素６１に軸方向に固定して連結されると共に、ブッシュ状の本体５１に対して調整移動可能に伝動要素８１を介して整合要素６１を軸方向に調整移動できる。
【００５２】
図８及び図９に示すように、矢印方向７１に移動調整可能な調整リンク５５、５５''の前方及び後方の側壁部分５６に、案内溝８３’を有するリンクガイド８３を取り付けて、伝動リンク８１上に形成され又は固定され横向きに突出する案内ピン８５がリングガイド８３の案内溝８３’に係合される。
【００５３】
ハウジング４３の軸長手方向、即ち軸方向７１に直方体状の調整リンク５５、５５''を調整移動することにより、伝動リンク８１の調整方向８７の強制的な垂直調整移動が発生する。即ち、伝動リンク８１を介して保持される案内ピン８５が矢印７１による軸長手調整方向には追従せず、調整リンク５５、５５''の適宜の調整移動により、それぞれ案内溝８３’の位置に追従して保持され、伝動リンク８１及び整合要素６１も矢印８７の方向に所望の強制的調整移動が行われる。従って、伝動リンク８１は、スリーブ８９内で案内される。
【００５４】
図示の実施の形態とは異なり、リンクガイド８３又は案内溝８３’を直線状に形成できる。これにより、直線状の動力伝達が生ずる。動力伝達の程度は、案内溝の傾斜角度に依存し、例えばほぼ１：２の寸法比でもよい。しかしながら、図８及び図９の実施の形態に示すように、リンクガイド又は案内溝を湾曲して形成して、中空部又はポット状終端部分５１に対し異なる強さで整合要素６１を押し込み又は引き戻すように適宜の矢印方向７１への軸方向の調整移動を変換してもよい。
【００５５】
変換比及びコンデンサ作用により出力分割を調節できるように、目盛り７９を明白に読み取れるように構成すべきである。
【図面の簡単な説明】
【図１】  本発明による高周波出力の分割集結回路に使用する分離要素を備えた等価回路図
【図２】  種々の出力分割を発生する共通の調整リンクを備え、可変広帯域の出力分割に適する基本的に図１と同様の実施の形態を示す等価回路図
【図３】  同軸回路の具体的な実施の形態を示す概略図
【図４】  図３の基本図に対応する本発明による実施の形態の略示断面図
【図５】  図４に示す横孔での厚くした内側導体部分の部分断面図
【図６】  調整リンクの第一の調整位置での出力分割を示す本発明による装置の略示側面図
【図７】  図６とは異なる位置に調整リンクを配置して他の出力分割を達成する図６と同様の側面図
【図８】  本発明による装置の図６と同様に部分断面で示す側面図
【図９】  図７による第二の切換え位置と同様であるが、出力分割を行う本発明による装置を部分断面で示す図７と同様の側面図
【図１０】  図６及び図８による切換え位置での図８及び図９の断面に対して垂直な水平断面図
【符号の説明】
(1)・・入力ゲート、  (3)・・第一の出力ゲート、  (5)・・第二の出力ゲート、  (7)・・主ライン又は主区間、  (9)・・分岐位置、  (11)・・分岐ライン、  (13')・・内側導体、  (15)・・分岐ライン、  (15')・・内側導体、  (37)・・スタブ、  (43)・・ハウジング、  (45,51)・・本体、  (47)・・横孔、  (55,55'')・・調整リンク、  (61)・・整合要素、  (71)・・調整方向、  (77)・・調節及び読取装置、  (79)・・目盛り、  (81)・・伝動リンク、  (83)・・リンクガイド、  (83')・・案内溝、  (85)・・案内装置又は案内ピン、  (87)・・垂直に延びる調整方向、  (89)・・スリーブ状の案内装置、  (C1,C2,C3)・・コンデンサ、
【図１】
0003924168.tif 000002
【図２】
0003924168.tif 000003
【図３】
0003924168.tif 000004
【図４】
0003924168.tif 000005
【図５】
0003924168.tif 000006
【図６】
0003924168.tif 000007
【図７】
0003924168.tif 000008
【図８】
0003924168.tif 000009
【図９】
0003924168.tif 000010
【図１０】
0003924168.tif 000011